(57)【特許請求の範囲】
【請求項１】
互いに交差するように形成される、複数のゲートライン、及び複数のデータラインと、
前記複数のゲートライン及び前記複数のデータラインが交差することによって定義される領域内にそれぞれ形成される、複数の画素電極と、
前記複数の画素電極と重なるように形成される、複数の共通電極と、を含み、
前記複数の共通電極は、
第１方向及び前記第１方向と交差する第２方向に分割された第１電極を含む、複数の電極グループと、
前記第２方向に配列された第１電極を挟んで、前記第２方向に並行するように分割された、複数の第２電極と、
からなり、
前記第１電極の各々に接続された第１電極接続配線が前記第１方向に配列され、
前記第１電極接続配線は、前記ゲートラインと共に基板上に形成され、該ゲートラインと分離された状態で該ゲートラインに隣接して配置され、
前記第１電極は、
前記ゲートラインをカバーするゲート絶縁膜と、
前記ゲートラインと前記データラインとの交差部に形成された薄膜トランジスタをカバーする第１保護膜と、
を貫通する第１コンタクトホールを介して露出される前記第１電極接続配線に接続されることを特徴とする、タッチセンサ一体型表示装置。
【請求項２】
前記共通電極が形成された領域の外側において、前記第１電極の接続配線を互いに接続する第１ルーティング配線をさらに含むことを特徴とする、請求項１記載のタッチセンサ一体型表示装置。
【請求項３】
前記複数の第２電極の各々に、その配列方向に沿って直接接触するように形成された第２電極接続配線をさらに含むことを特徴とする、請求項１記載のタッチセンサ一体型表示装置。
【請求項４】
前記第１電極接続配線の長さが互いに異なることを特徴とする、請求項１記載のタッチセンサ一体型表示装置。
【請求項５】
前記第１電極接続配線の中で他のものに比べて長さが短い第１電極接続配線から延長され、前記長さが短い第１電極接続配線より長さが長い第１電極接続配線の終端に対応する位置まで延長される、ダミー配線をさらに含むことを特徴とする、請求項４記載のタッチセンサ一体型表示装置。
【請求項６】
前記第１電極は、前記第１保護膜の上方に形成されることを特徴とする、請求項３記載のタッチセンサ一体型表示装置。
【請求項７】
前記複数の第２電極は、前記第１保護膜の上方に形成され、前記第２電極接続配線の各々は、前記複数の第２電極の各々の表面上に形成されることを特徴とする、請求項６記載のタッチセンサ一体型表示装置。
【請求項８】
前記複数の画素電極は、前記第１電極と前記複数の第２電極をカバーする、第２保護膜上に形成されることを特徴とする、請求項７記載のタッチセンサ一体型表示装置。
【請求項９】
前記第２電極接続配線の各々は、前記データラインと重なるように形成されることを特徴とする、請求項８記載のタッチセンサ一体型表示装置。
【請求項１０】
互いに交差するように形成される、複数のゲートライン、及び複数のデータラインと、
前記複数のゲートライン及び前記複数のデータラインが交差することによって定義される領域内にそれぞれ形成される、複数の画素電極と、
前記複数の画素電極と重なるように形成される、複数の共通電極と、を含み、
前記複数の共通電極は、
第１方向及び前記第１方向と交差する第２方向に分割された第１電極を含む、複数の電極グループと、
前記第２方向に配列された第１電極を挟んで、前記第２方向に並行するように分割された、複数の第２電極と、
からなり、
前記第１電極の各々に接続された第１電極接続配線が前記第１方向に配列され、
前記第１電極接続配線は、ゲートラインと一緒に基板上に形成され、前記ゲートラインと分離された状態で前記ゲートラインに隣接して配置され、
前記画素電極の各々は、前記ゲートラインとデータラインの交差部に形成された薄膜トランジスタをカバーする第１保護膜の上方に形成され、
前記第１電極は、前記画素電極をカバーする、第２保護膜上に形成され、前記ゲートラインをカバーするゲート絶縁膜と、前記第１及び第２保護膜を貫通する第２コンタクトホールを介して露出される前記第１電極接続配線と、に接続されることを特徴とする、タッチセンサ一体型表示装置。
【請求項１１】
前記複数の第２電極の各々に、その配列方向に沿って直接接触するように形成された複数の第２電極接続配線をさらに含み、
前記複数の第２電極接続配線の各々は、前記第２保護膜上で前記データラインと重なるように形成され、前記第２電極は、前記第２電極接続配線を覆うように形成されることを特徴とする、請求項１０記載のタッチセンサ一体型表示装置。
【請求項１２】
前記第１電極接続配線は、左側に延長される第１−１接続配線と、前記第１−１接続配線と対称に配置され、右側に延長される第１−２接続配線と、を含み、
前記第１−１接続配線は左側に配置される第１電極の１/２にそれぞれ接続され、
前記第１−２接続配線は右側に配置される第１電極の残り１/２にそれぞれ接続されることを特徴とする、請求項１記載のタッチセンサ一体型表示装置。
【請求項１３】
前記第１電極接続配線の中で他のものに比べて長さが短い第１電極接続配線から延長されて前記長さが短い第１電極接続配線より長さが長い第１電極接続配線の端に対応する位置まで延長されるダミー配線をさらに含むことを特徴とする、請求項１２記載のタッチセンサ一体型表示装置。
【発明の詳細な説明】
【技術分野】
【０００１】
本発明は、ユーザのタッチを認識することができるタッチセンサ一体型表示装置に関する。
【背景技術】
【０００２】
最近、キーボード、マウス、トラックボール、ジョイスティック（Joystick）、デジタイザ（digitizer）などの様々な入力装置（input device）が、ユーザと家電機器または各種情報通信機器との間のインターフェースを構成するために使用されている。しかし、前述のような入力装置を使用するためには使い方を学ぶ必要があり、また、当該入力装置が一定の空間を占有してしまう、という問題点があった。したがって、便利ながらも、簡単で誤作動を減らすことができる入力装置に対する要求が日々高まっている。このような要求に応じて、ユーザが指やペンなどで画面に直接接触して情報を入力するタッチセンサ（touch sensor）が提案された。
【０００３】
タッチセンサは操作が簡単であり、誤作動が少なく、別の入力機器を使用しなくても入力が可能なだけでなく、ユーザが画面上に表示される内容を介して迅速かつ容易に操作することができる利便性のために、様々な表示装置に適用されている。
【０００４】
タッチセンサは、構造に応じて、上板付型（add-on type：アドオンタイプ）と、上板一体型（on-cell type：オンセルタイプ）とに分けることができる。上板付型は、表示装置とタッチセンサとが形成されたタッチパネルを個別に製造した後に、表示装置の上板にタッチパネルを取り付けする方式である。上板一体型は、表示装置の上部ガラス基板の表面にタッチセンサを直接形成する方式である。
【０００５】
上板付型は、表示装置上に完成されたタッチパネルが装着される構造を有するため厚さが厚く、表示装置の明るさが暗くなり視認性が低下する問題がある。
【０００６】
一方、上板一体型の場合、表示装置の上面に別のタッチセンサが形成された構造で、上板取付型より厚さを減らすことができるが、それでもタッチセンサを構成する駆動電極層とセンシング電極層およびこれらを絶縁させるための絶縁層のために全体の厚さが増加し、工程数が増加して製造コストが増加する問題点があった。
【０００７】
したがって、このような従来技術による問題点を解決するためのタッチセンサ一体型表示装置の必要性が増しており、特許文献１のようなタッチセンサ一体型表示装置が知られている。
【０００８】
特許文献１に開示されたタッチセンサ一体型表示装置は、ディスプレイ用の共通電極を分割して、タッチ駆動のためのタッチ駆動電極とタッチセンシングのためのタッチセンシング電極とを兼用にすることで、タッチ時に発生する相互静電容量の変化量を測定して、タッチの有無及びタッチ位置を認識している。
【０００９】
前記の構成において、タッチ駆動電極とタッチセンシング電極は、同じ層に形成されるため、互いに接触しないように、同じ機能を実行する電極同士配線によって互に接続される。つまり、タッチ駆動電極は、コンタクトホールを介してタッチ駆動電極配線に接続され、タッチセンシング電極は、コンタクトホールによってタッチセンシング電極配線によって互に接続されることにより、タッチ駆動電極とタッチセンシング電極は、電気的に互いに接触しなくなる。
【００１０】
しかし、前記従来のタッチセンサ一体型表示装置では、これらのタッチ駆動配線とタッチセンシングの配線は、表示装置の表示領域内で互いに交差するように形成されるので、表示装置の開口率を低下させる問題があった。
【００１１】
また、近年表示装置のサイズが増加するにつれ、表示パネルの位置に応じてタッチ駆動電極のＲＣ遅延（Resistance Capacitor Delay）に遅延差が発生して、タッチ駆動信号またはタッチセンシング信号の良好な均一性が得られないという問題があった。
【００１２】
図１は、表示装置のサイズが増加するにつれて、信号の均一性が悪化する現象を説明するための図である。図１に示すパルス波形から理解できるように、タッチ駆動のためのタッチ駆動パルス（Ｓｐ）が表示パネル（ＤＰ）の入力端では、正常なパルス波形を維持しているが終端ではつぶれた波形となり、センシング信号（Ｓｓ）また、入力端に近い側では、正常なセンシング信号が測定されるが、終端では変形したセンシング信号となるので、正確なタッチセンシングが困難となる問題があった。
【先行技術文献】
【特許文献】
【００１３】
【特許文献１】米国特許ＵＳ ７，８５９，５２１号明細書
【発明の概要】
【発明が解決しようとする課題】
【００１４】
従って、本発明の目的は、タッチ駆動電極とタッチセンシング電極のための複雑な配線を簡単かつ効率的に形成することができるタッチセンサ一体型表示装置を提供することにある。
【００１５】
本発明の他の目的は、タッチ駆動信号を減衰させることなくタッチ駆動電圧をタッチ駆動電極に供給することにより、タッチの認識精度を高めることができるタッチセンサ一体型表示装置を提供することにある。
【課題を解決するための手段】
【００１６】
前記目的を達成するために、本発明に係るタッチセンサ一体型表示装置は、互いに交差するように形成される複数のゲートライン及び複数のデータラインと、前記複数のゲートライン及び複数のデータラインの交差によって定義される領域内にそれぞれ形成される複数の画素電極と、前記複数の画素電極と重なるように形成される複数の共通電極と、を含み、前記複数の共通電極は、第１方向及び前記第１方向と交差する第２方向に分割された第１電極を含む複数の電極グループと、前記第２方向に配列された第１電極を挟んで、前記第２方向に並行するように分割された複数の第２電極とからなり、第１電極の各々に接続された第１電極接続配線が前記第１方向に配列されることを特徴とする。
【００１７】
前記構成において、前記共通電極が形成された領域の外側で、前記第１電極の接続配線を互に接続する第１ルーティング(routing)配線をさらに含む。
【００１８】
また、前記複数の第２電極の各々に、その配列方向に沿って直接接触するように形成された第２電極接続配線をさらに含む。
【００１９】
また、前記第１電極接続配線の長さは互に異なるように形成することができる。
【００２０】
また、前記第１電極接続配線の中で他のものに比べて長さが短い第１電極接続配線から延長され、前記長さが短い第１電極接続配線より長さが長い第１電極接続配線の終端に対応する位置まで延長されるダミー配線をさらに含む。
【００２１】
また、前記第１電極接続配線は、ゲートラインと共に基板上に形成され、前記ゲートラインと分離された状態で前記ゲートラインに隣接して配置され、前記第１電極は、前記ゲートラインとデータラインの交差部に形成された薄膜トランジスタをカバーする第１保護膜上に形成され、前記第１電極は、ゲートラインをカバーするゲート絶縁膜と、前記第１保護膜を貫通する第2コンタクトホールを介して露出される前記第１電極接続配線と接続されることを特徴とする。
【００２２】
また、前記複数の第２電極は、前記第１保護膜上に形成され、前記第２電極接続配線の各々は、前記複数の第２電極の各々の表面上に形成されることを特徴とする。
【００２３】
また、前記複数の画素電極は、前記第１電極と前記第２電極をカバーする、第２保護膜上に形成される。
【００２４】
また、前記第２電極接続配線の各々は、前記データラインと重なるように形成される。
【００２５】
また、前記第１電極接続配線は、ゲートラインと共に基板上に形成され、前記ゲートラインと分離された状態で前記ゲートラインに隣接して配置され、前記画素電極の各々は、前記ゲートラインとデータラインの交差部に形成された薄膜トランジスタをカバーする第１保護膜上に形成され、前記第１電極は、前記画素電極をカバーする第２保護膜上に形成され、前記ゲートラインをカバーするゲート絶縁膜と、前記第１及び第２保護膜を貫通する第２コンタクトホールを介して露出される前記第１電極接続配線と接続されることを特徴とする。
【００２６】
また、前記複数の第２電極接続配線の各々は、前記第２保護膜上で前記データラインと重なるように形成され、前記第２電極は、前記第２電極接続配線を覆うように形成される。
【００２７】
また、前記第１接続配線は、左側に延長される第１−１接続配線と、前記第１−１接続配線と対称に配置され、右側に延長される第１−２接続配線を含み、前記第１−１接続配線は左側に配置される第１電極の１/２にそれぞれ接続され、前記第１−２接続配線は右側に配置される第１電極の残り１/２にそれぞれ接続される。
【００２８】
また、前記第１電極接続配線の中で他のものに比べて長さが短い第１電極接続配線から延長されて前記長さが短い第１電極接続配線より長さが長い第１電極接続配線の端に対応する位置まで延長されるダミー配線をさらに含む。
【発明の効果】
【００２９】
本発明に係るタッチセンサ一体型表示装置に係れば、各タッチ駆動電極と、各タッチセンシング電極とは、複数の画素電極に対応するように形成され、各タッチ駆動電極接続配線は、ゲートラインに対応し、それぞれのタッチセンシング電極接続配線は、データラインに対応するように形成される。したがって、タッチ駆動電極とタッチセンシング電極のための複雑な配線を簡単かつ効率的に形成することができる、という効果を得ることができる。
【００３０】
また、タッチ駆動電極の左側と右側にそれぞれ配置された第１乃至第４左側タッチ駆動電極接続配線と、第１乃至第４の右側のタッチ駆動電極接続配線を介して両側から同時にタッチ駆動電圧を供給できるようになるので、タッチ駆動信号を減衰させることなくタッチ駆動電圧をタッチ駆動電極に供給することができるようになり、タッチ認識精度を向上させることができる、という効果を得ることができる。
【００３１】
また、ダミー配線により隣接するタッチ駆動電極接続配線との間の相互静電容量値をどの位置においても同じ値に保つことができるようになるので、タッチの認識精度をさらに高めることができる、という効果がある。
【図面の簡単な説明】
【００３２】
【図１】表示装置のサイズが増加するにつれて、信号の均一性が悪化する現象を説明するための図である。
【図２】本発明の実施の形態に係るタッチセンサ一体型表示装置の一部を概略的に示す分解斜視図である。
【図３】本発明の第１の実施の形態に係るタッチセンサ一体型表示装置を概略的に示す平面図である。
【図４】図３に示された領域Ｒでの共通電極（タッチ駆動電極とタッチセンシング電極）と画素電極との関係を概略的に示す平面図である。
【図５Ａ】画素電極が共通電極の上層に形成される場合の、図４に示された領域Ｒａを示す平面図である。
【図５Ｂ】図５ＡのＩ−Ｉ´線に沿って取った断面図である。
【図６Ａ】画素電極が共通電極の上層に形成される場合の、図４に示された領域Ｒｂを示す平面図である。
【図６Ｂ】図６ＡのＩＩ−ＩＩ´線に沿って取った断面図である。
【図７Ａ】共通電極が画素電極の上層に形成される場合の、図４に示された領域Ｒａを示す平面図である。
【図７Ｂ】図７ＡのＩＩＩ−ＩＩＩ´線に沿って取った断面図である。
【図８Ａ】共通電極が画素電極の上層に形成される場合の、図４に示された領域Ｒｂを示す平面図である。
【図８Ｂ】図８ＡのＩＶ−ＩＶ´線に沿って取った断面図である。
【図９】本発明の第２の実施の形態に係るタッチセンサ一体型表示装置を概略的に示す平面図である。
【図１０】本発明の第３実施の形態に係るタッチセンサ一体型表示装置を概略的に示す平面図である。
【図１１】本発明の第４実施の形態に係るタッチセンサ一体型表示装置を概略的に示す平面図である。
【発明を実施するための形態】
【００３３】
以下、添付図面を参照しながら、本発明の好適な実施の形態について詳細に説明する。明細書全体において同一の参照番号は同一の構成要素を示す。
【００３４】
まず、図２及び図３を参照して本発明の実施の形態に係るタッチセンサ一体型表示装置について説明する。図２は、本発明の実施の形態に係るタッチセンサ一体型表示装置の一部を概略的に示す分解斜視図であり、図３は、本発明の第１の実施の形態に係るタッチセンサ一体型表示装置を概略的に示す平面図である。
【００３５】
図２を参照すると、本発明の実施の形態に係るタッチセンサ一体型表示装置は、液晶層（図示せず）を挟んで形成される薄膜トランジスタアレイＴＦＴＡとカラーフィルタアレイＣＦＡを備える液晶表示パネルＬＣＰを含む。
【００３６】
薄膜トランジスタアレイＴＦＴＡは、第１基板ＳＵＢ１上に第１方向（例えば、ｘ方向）に並行するように形成された複数のゲートラインＧ１及びＧ２、前記複数のゲートラインＧ１及びＧ２と互いに交差するように第２方向（例えば、ｙ方向）に並行するように形成されたデータラインＤ１及びＤ２、ゲートラインＧ１及びＧ２とデータラインＤ１及びＤ２とが交差することによって定義される領域に位置する液晶セル、ゲートラインＧ１及びＧ２とデータラインＤ１及びＤ２とが交差する領域に形成される薄膜トランジスタＴＦＴ、液晶セルにデータ電圧を充電させるための複数の画素電極Ｐｘ、前記複数の画素電極Ｐｘと電界を形成するように配置された共通電極（図示せず）、を含む。
【００３７】
カラーフィルタアレイＣＦＡは、第２基板ＳＵＢ２上に形成されたブラックマトリックスおよびカラーフィルタ（図示せず）を含む。液晶表示パネルＬＣＰの第１基板ＳＵＢ１と第２基板ＳＵＢ２の外面には、それぞれ偏光板ＰＯＬ１、ＰＯＬ２が付着され、液晶と接する第１および第２基板ＳＵＢ１、ＳＵＢ２の内面には、液晶のプレチルト角を設定するための配向膜（図示せず）がそれぞれ形成される。液晶表示パネルＬＣＰのカラーフィルタアレイＣＦＡと薄膜トランジスタアレイＴＦＴＡとの間には、液晶セルのセル・ギャップ（cell gap）を維持するためのコラム・スペーサー（column spacer）が形成されることができる。
【００３８】
一方、共通電極は、ＴＮ（Twisted Nematic）モードやＶＡ（Vertical Alignment）モードのような垂直電界駆動方式においては、第２基板ＳＵＢ２に形成され、ＩＰＳ（In Plane Switching）モードやＦＦＳ（Fringe Field Switching）モードのような水平電界駆動方式では、画素電極Ｐｘと共に、第１基板ＳＵＢ１上に形成される。以下の本発明の実施の形態では、水平電界駆動方式を例に挙げて説明する。
【００３９】
図３を参照すると、本発明の第１の実施の形態に係るタッチセンサ一体型表示装置の共通電極ＣＯＭは、第１方向（例えば、ｘ軸方向）と第２方向（例えば、ｙ軸方向）とに分割された複数の電極Ｔｘ１１〜Ｔｘ１４、Ｔｘ２１〜Ｔｘ２４、Ｔｘ３１〜Ｔｘ３４、Ｔｘ４１〜Ｔｘ４４；Ｒｘ１〜Ｒｘ３からなる。これらの複数の電極は、タッチセンサを構成するタッチ駆動電極及びタッチセンシング電極としての機能を兼ねる。
【００４０】
これをさらに具体的に説明すると、複数の電極Ｔｘ１１〜Ｔｘ１４、Ｔｘ２１〜Ｔｘ２４、Ｔｘ３１〜Ｔｘ３４、Ｔｘ４１〜Ｔｘ４４、及びＲｘ１〜Ｒｘ３のうち、ｘ軸方向に配列された第１〜第４行（raw）の電極は、第１乃至第４タッチ駆動電極グループＴｘ１１〜Ｔｘ１４、Ｔｘ２１〜Ｔｘ２４、ＴＸ３１〜Ｔｘ３４、Ｔｘ４１〜Ｔｘ４４、及びＲｘ１〜Ｒｘ３を構成し、ｙ軸方向に配列された第１〜第３列（column）の電極は、第１乃至第３タッチセンシング電極Ｒｘ１〜Ｒｘ３を構成する。
【００４１】
隣接するタッチセンシング電極Ｒｘ１とＲｘ２及びＲｘ２とＲｘ３の間、または隣接するタッチセンシング電極Ｒｘ１とＲｘ２及びＲｘ２とＲｘ３の間と、最外側のタッチセンシング電極Ｒｘ１及びＲｘ３の内の少なくとも一側には、それぞれの行ごとに少なくとも一つのタッチ駆動電極（最初の行の場合を例にとると、Ｔｘ１１、Ｔｘ１２、Ｔｘ１３、及びＴｘ１４）が配置される。
【００４２】
第１タッチ駆動電極グループＴｘ１１〜Ｔｘ１４の第１−１タッチ駆動電極Ｔｘ１１は、第１タッチ駆動電極グループＴｘ１１〜Ｔｘ１４の配列方向と並行するように配列された第１−１タッチ駆動電極接続配線Ｔｃ１１と接続され、第１−２タッチ駆動電極Ｔｘ１２は、第１タッチ駆動電極グループＴｘ１１〜Ｔｘ１４の配列方向と並行するように配列された第１−２タッチ駆動電極接続配線Ｔｃ１２と接続され、第１−３タッチ駆動電極Ｔｘ１３は、第１タッチ駆動電極グループＴｘ１１〜Ｔｘ１４の配列方向と並行するように配列された第１−３タッチ駆動電極接続配線Ｔｃ１３と接続され、第１−４タッチ駆動電極Ｔｘ１４は、第１タッチ駆動電極グループＴｘ１１〜Ｔｘ１４の配列方向と並行するように配列された第１−４タッチ駆動電極接続配線Ｔｃ１４と接続される。
【００４３】
第１−１〜第１−４タッチ駆動電極接続配線Ｔｃ１１〜Ｔｃ１４は、互いに並行するように配列されており、図３に示すように、上側から第１−４〜第１−１タッチ駆動電極接続配線Ｔｃ１４〜Ｔｃ１１の順で配列される。第１−１〜第１−４タッチ駆動電極接続配線Ｔｃ１１〜Ｔｃ１４は、タッチ駆動電極Ｔｘ１１〜Ｔｘ１４、Ｔｘ２１〜Ｔｘ２４、Ｔｘ３１〜Ｔｘ３４、及びＴｘ４１〜Ｔｘ４４並びにタッチセンシング電極Ｒｘ１〜 Ｒｘ３が形成されたアクティブ領域の外側で、第１タッチ駆動ルーティング配線Ｔｗ１によって互いに接続される。第１タッチ駆動ルーティング配線Ｔｗ１は、電源供給部（図示せず）から第１タッチ駆動電極グループＴｘ１１〜Ｔｘ１４にタッチ駆動電圧を供給するための第１タッチ駆動パッドＴＰ１に接続される。
【００４４】
第２タッチ駆動電極グループＴｘ２１〜Ｔｘ２４の第２−１タッチ駆動電極Ｔｘ２１は、第２タッチ駆動電極グループＴｘ２１〜Ｔｘ２４の配列方向と並行するように配列された第２−１タッチ駆動電極接続配線Ｔｃ２１と接続され、第２−２タッチ駆動電極Ｔｘ２２は、第２タッチ駆動電極グループＴｘ２１〜Ｔｘ２４の配列方向と並行するように配列された第２−２タッチ駆動電極接続配線Ｔｃ２２と接続され、第２−３タッチ駆動電極Ｔｘ２３は、第２タッチ駆動電極グループＴｘ２１〜Ｔｘ２４の配列方向と並行するように配列された第２−３タッチ駆動電極接続配線Ｔｃ２３と接続され、第２−４タッチ駆動電極Ｔｘ２４は、第２タッチ駆動電極グループＴｘ２１〜Ｔｘ２４の配列方向と並行するように配列された第２−４タッチ駆動電極接続配線Ｔｃ２４と接続される。
【００４５】
第２−１〜第２−４タッチ駆動電極接続配線Ｔｃ２１〜Ｔｃ２４は、互いに並行するように配列されており、図３に示すように、上側から第２−４〜第２−１タッチ駆動電極接続配線Ｔｃ２４〜Ｔｃ２１の順で配列される。第２−１〜第２−４タッチ駆動電極接続配線Ｔｃ２１〜Ｔｃ２４は、タッチ駆動電極Ｔｘ１１〜Ｔｘ１４、Ｔｘ２１〜Ｔｘ２４、Ｔｘ３１〜Ｔｘ３４、及びＴｘ４１〜Ｔｘ４４並びにタッチセンシング電極Ｒｘ１〜Ｒｘ３が形成されたアクティブ領域の外側で、第２タッチ駆動ルーティング配線ＴＷ２によって互いに接続される。第２タッチ駆動ルーティング配線ＴＷ２は、電源供給部（図示せず）から第２タッチ駆動電極グループＴｘ２１〜Ｔｘ２４にタッチ駆動電圧を供給するための第２タッチ駆動パッドＴＰ２に接続される。
【００４６】
第３タッチ駆動電極グループＴｘ３１〜Ｔｘ３４の第３−１タッチ駆動電極Ｔｘ３１は、第３タッチ駆動電極グループＴｘ３１〜Ｔｘ３４の配列方向と並行するように配列された第３−１タッチ駆動電極接続配線Ｔｃ３１と接続され、第３−２タッチ駆動電極Ｔｘ３２は、第３タッチ駆動電極グループＴｘ３１〜Ｔｘ３４の配列方向と並行するように配列された第３−２タッチ駆動電極接続配線Ｔｃ３２と接続され、第３−３タッチ駆動電極Ｔｘ３３は、第３タッチ駆動電極グループＴｘ３１〜Ｔｘ３４の配列方向と並行するように配列された第３−３タッチ駆動電極接続配線Ｔｃ３３と接続され、第３−４タッチ駆動電極Ｔｘ３４は、第３タッチ駆動電極グループＴｘ３１〜Ｔｘ３４の配列方向と並行するように配列された第３−４タッチ駆動電極接続配線Ｔｃ３４と接続される。
【００４７】
第３−１〜第３−４タッチ駆動電極接続配線Ｔｃ３１〜Ｔｃ３４は、互いに並行するように配列されており、図３に示すように、上側からから第３−４〜第３−１タッチ駆動電極接続配線Ｔｃ３４〜Ｔｃ３１の順で配列される。第３−１〜第３−４タッチ駆動電極接続配線Ｔｃ３１〜Ｔｃ３４は、タッチ駆動電極Ｔｘ１１〜Ｔｘ１４、Ｔｘ２１〜Ｔｘ２４、Ｔｘ３１〜Ｔｘ３４、及びＴｘ４１〜Ｔｘ４４並びにタッチセンシング電極Ｒｘ１〜 Ｒｘ３が形成されたアクティブ領域の外側で、第３タッチ駆動ルーティング配線Ｔｗ３によって互いに接続される。第３タッチ駆動ルーティング配線Ｔｗ３は、電源供給部（図示せず）から第３タッチ駆動電極グループＴｘ３１〜Ｔｘ３４にタッチ駆動電圧を供給するための第３タッチ駆動パッドＴＰ３に接続される。
【００４８】
第４タッチ駆動電極グループＴｘ４１〜Ｔｘ４４の第４−１タッチ駆動電極Ｔｘ４１は、第４タッチ駆動電極グループＴｘ４１〜Ｔｘ４４の配列方向と並行するように配列された第４−１タッチ駆動電極接続配線Ｔｃ４１と接続され、第４−２タッチ駆動電極Ｔｘ４２は、第４タッチ駆動電極グループＴｘ４１〜Ｔｘ４４の配列方向と並行するように配列された第４−２タッチ駆動電極接続配線Ｔｃ４２と接続され、第４−３タッチ駆動電極Ｔｘ４３は、第４タッチ駆動電極グループＴｘ４１〜Ｔｘ４４の配列方向と並行するように配列された第４−３タッチ駆動電極接続配線Ｔｃ４３と接続され、第４−４タッチ駆動電極Ｔｘ４４は、第４タッチ駆動電極グループＴｘ４１〜Ｔｘ４４の配列方向と並行するように配列された第４−４タッチ駆動電極接続配線Ｔｃ４４と接続される。
【００４９】
第４−１〜第４−４タッチ駆動電極接続配線Ｔｃ４１〜Ｔｃ４４は、互いに並行するように配列されており、図３に示すように、上側からから第４−４〜第４−１タッチ駆動電極接続配線Ｔｃ４４〜Ｔｃ４１の順で配列される。第４−１〜第４−４タッチ駆動電極接続配線Ｔｃ４１〜Ｔｃ４４は、タッチ駆動電極Ｔｘ１１〜Ｔｘ１４、Ｔｘ２１〜Ｔｘ２４、Ｔｘ３１〜Ｔｘ３４、及びＴｘ４１〜Ｔｘ４４並びにタッチセンシング電極Ｒｘ１〜 Ｒｘ３が形成されたアクティブ領域の外側で、第４タッチ駆動ルーティング配線Ｔｗ４によって互いに接続される。第４タッチ駆動ルーティング配線Ｔｗ４は、電源供給部（図示せず）から第４タッチ駆動電極グループＴｘ４１〜Ｔｘ４４にタッチ駆動電圧を供給するための第４タッチ駆動パッドＴＰ４に接続される。
【００５０】
タッチ駆動電極Ｔｘ１１〜Ｔｘ１４、Ｔｘ２１〜Ｔｘ２４、Ｔｘ３１〜Ｔｘ３４、Ｔｘ４１〜Ｔｘ４４は、それぞれコンタクトホールＣＨを介してタッチ駆動電極接続配線Ｔｃ１１〜Ｔｃ１４、Ｔｃ２１〜Ｔｃ２４、Ｔｃ３１〜Ｔｃ３４、Ｔｃ４１〜Ｔｃ４４と接続される。
【００５１】
第１〜第３タッチセンシング電極Ｒｘ１〜Ｒｘ３の内の第１タッチセンシング電極Ｒｘ１は、第１タッチセンシング電極Ｒｘ１の配列方向と並行するように配列された第１タッチセンシング電極接続配線Ｒｃ１と直接接触するように接続される。第１タッチセンシング電極接続配線Ｒｃ１は、タッチ駆動電極Ｔｘ１１〜Ｔｘ１４、Ｔｘ２１〜Ｔｘ２４、Ｔｘ３１〜Ｔｘ３４、及びＴｘ４１〜Ｔｘ４４並びにタッチセンシング電極Ｒｘ１〜Ｒｘ３が形成されたアクティブ領域の外側で、第１タッチセンシングルーティング配線Ｒｗ１と接続される。第１タッチセンシングルーティング配線Ｒｗ１は、タッチプロセッサ（図示せず）にセンシング信号を供給するための第１タッチセンシングパッドＲＰ１に接続される。
【００５２】
第２タッチセンシング電極Ｒｘ２は、第２タッチセンシング電極Ｒｘ２の配列方向と並行するように配列された第２タッチセンシング電極接続配線Ｒｃ２と直接接触するように接続される。第２タッチセンシング電極接続配線Ｒｃ２は、タッチ駆動電極Ｔｘ１１〜Ｔｘ１４、Ｔｘ２１〜Ｔｘ２４、Ｔｘ３１〜Ｔｘ３４、及びＴｘ４１〜Ｔｘ４４並びにタッチセンシング電極Ｒｘ１〜Ｒｘ３が形成されたアクティブ領域の外側で、第２タッチセンシングルーティング配線Ｒｗ２と接続される。第２タッチセンシングルーティング配線Ｒｗ２は、タッチプロセッサ（図示せず）にセンシング信号を供給するための第２タッチセンシングパッドＲＰ２に接続される。
【００５３】
第３タッチセンシング電極Ｒｘ３は、第３タッチセンシング電極Ｒｘ３の配列方向と並行するように配列された第３タッチセンシング電極接続配線Ｒｃ３と直接接触するように接続される。第３タッチセンシング電極接続配線Ｒｃ３は、タッチ駆動電極Ｔｘ１１〜Ｔｘ１４、Ｔｘ２１〜Ｔｘ２４、Ｔｘ３１〜Ｔｘ３４、及びＴｘ４１〜Ｔｘ４４並びにタッチセンシング電極Ｒｘ１〜Ｒｘ３が形成されたアクティブ領域の外側で、第３タッチセンシングルーティング配線Ｒｗ３と接続される。第３タッチセンシングルーティング配線Ｒｗ３は、タッチプロセッサ（図示せず）にセンシング信号を供給するための第３タッチセンシングパッドＲＰ３に接続される。
【００５４】
タッチ駆動電極Ｔｘ１１〜Ｔｘ１４、Ｔｘ２１〜Ｔｘ２４、Ｔｘ３１〜Ｔｘ３４、及びＴｘ４１〜Ｔｘ４４並びにタッチセンシング電極Ｒｘ１〜Ｒｘ３はＩＴＯ（Indium Tin Oxide）、ＩＺＯ（Indium Zinc Oxide）、ＧＺＯ（Gallium-doped Zinc Oxide）のような透明導電性物質で形成され、第１乃至第４タッチ駆動電極接続配線Ｔｃ１１〜Ｔｃ１４、Ｔｃ２１〜Ｔｃ２４、Ｔｃ３１〜Ｔｃ３４、Ｔｃ４１〜Ｔｃ４４、第１乃至第４タッチ駆動ルーティング配線ＴＷ１〜ＴＷ４、第１〜第３タッチセンシング電極接続配線Ｒｃ１〜Ｒｃ３、および第１〜第３タッチセンシングルーティング配線ＲＷ１〜ＲＷ３は、Ａｌ、ＡｌＮｄ、 Ｍｏ、ＭｏＴｉ、Ｃｕ、Ｃｒ、Ａｇ、Ａg系合金のような金属物質から形成される。
【００５５】
第１〜第３タッチセンシング電極接続配線Ｒｃ１〜Ｒｃ３のそれぞれは、第１〜第３タッチセンシング電極Ｒｘ１〜Ｒｘ３の配列方向と並行するように配列され、第１乃至第３タッチセンシング電極Ｒｘ１〜Ｒｘ３とそれぞれ直接接触するので、抵抗が高い透明導電性物質からなる第１乃至第３タッチセンシング電極Ｒｘ１〜Ｒｘ３の抵抗を下げることができる。
【００５６】
次に、図４を参照して本発明の実施の形態に係るタッチセンサ一体型表示装置において、共通電極（タッチ駆動電極及びタッチセンシング電極）と画素電極との関係をさらに詳細に説明する。図４は図３に示された領域Ｒでの共通電極（タッチ駆動電極及びタッチセンシング電極）と画素電極との関係を概略的に示す平面図である。
【００５７】
図４を参照すると、タッチ駆動電極Ｔｘ１１〜Ｔｘ１４、Ｔｘ２１〜Ｔｘ２４、Ｔｘ３１〜Ｔｘ３４、及びＴｘ４１〜Ｔｘ４４並びにタッチセンシング電極Ｒｘ１〜Ｒｘ３の各領域に対応して複数の画素電極Ｐｘが配置される。
【００５８】
例えば、タッチ駆動電極Ｔｘ１１〜Ｔｘ１４、Ｔｘ２１〜Ｔｘ２４、Ｔｘ３１〜Ｔｘ３４、及びＴｘ４１〜Ｔｘ４４には、それぞれ第１乃至第４タッチ駆動電極接続配線Ｔc１４〜Ｔｃ１１、Ｔｃ２４〜Ｔｃ２１、Ｔｃ３４〜Ｔｃ３１、及びＴｃ４４〜Ｔｃ４１のそれぞれを挟んで配置される複数の画素電極Ｐｘが配置される。第１乃至第４タッチ駆動電極接続配線Ｔｃ１４〜Ｔｃ１１、Ｔｃ２４〜Ｔｃ２１、Ｔｃ３４〜Ｔｃ３１、及びＴｃ４４〜Ｔｃ４１のそれぞれは、表示装置の画素電極Ｐｘを駆動させるためのゲートラインＧＬに隣接して配置される。
【００５９】
また、タッチセンシング電極Ｒｘ１、Ｒｘ２、及びＲｘ３のそれぞれには、第１乃至第４タッチ駆動電極接続配線Ｔｃ１４〜Ｔｃ１１、Ｔｃ２４〜Ｔｃ２１、Ｔｃ３４〜Ｔｃ３１、及びＴｃ４４〜Ｔｃ４１のそれぞれと、第１〜第３タッチセンシング電極接続配線Ｒｃ１〜Ｒｃ３それぞれを挟んで配置される複数の画素電極Ｐｘが配置される。第１乃至第４タッチ駆動電極接続配線Ｔｃ１４〜Ｔｃ１１、Ｔｃ２４〜Ｔｃ２１、Ｔｃ３４〜Ｔｃ３１、及びＴｃ４４〜Ｔｃ４１のそれぞれは、表示装置の画素電極Ｐｘを駆動させるためのゲートラインＧＬに隣接するように配置され、第１乃至第３タッチセンシング電極接続配線（Ｒｃ１〜Ｒｃ３）のそれぞれは、表示装置の画素電極にデータ電圧を供給するデータラインＤＬと対応するように配置される。しかし、第１乃至第３タッチセンシング電極接続配線Ｒｃ１〜Ｒｃ３のそれぞれが、データラインＤＬのそれぞれと対応するように配置される必要はなく、数本又は数十本のデータラインＤＬにつき一つの関係で配置することができる。
【００６０】
第１〜第３タッチセンシング電極接続配線Ｒｃ１〜Ｒｃ３をデータラインＤＬと対応するよう、特に重ねるように配置すると、第１〜第３タッチセンシング電極接続配線Ｒｃ１〜Ｒｃ３により開口率が低下しない、という効果を得ることができる。
【００６１】
次に、図４及び図５Ａ〜図６Ｂを参照して、画素電極が共通電極（タッチ駆動電極及びタッチセンシング電極）の上層に形成される場合の本発明の第１の実施の形態に係るタッチセンサ一体型表示装置について説明する。図５Ａは、画素電極が共通電極の上層に形成される場合の、図４に示された領域Ｒａを示す平面図であり、図５Ｂは、図５ＡのＩ−Ｉ’ラインに沿って取った断面図であり、図６Ａは、画素電極が共通電極の上層に形成される場合の、図４に示された領域Ｒｂを示す平面図であり、図６Ｂは、図６ＡのＩＩ−ＩＩ’線に沿って取った断面図である。
【００６２】
以下の説明では、説明の簡略化のためには、１つのタッチ駆動電極Ｔｘ１１の一部領域（Ｒａ領域）と１つのタッチセンシング電極Ｒｘ１の一部領域Ｒｂに対応して配置される１つの画素電極Ｐｘを中心に説明する。
【００６３】
図４、及び図５Ａ〜図６Ｂを参照すると、本発明の第１の実施の形態に係るタッチセンサ一体型表示装置は、薄膜トランジスタアレイＴＦＴＡの基板ＳＵＢ上に互いに交差するように形成されたゲートラインＧＬ及びデータラインＤＬと、前記ゲートラインＧＬ及びデータラインＤＬの交差領域に形成される薄膜トランジスタＴＦＴと、隣接する２つのゲートラインＧＬと、隣接する２つのデータラインＤＬが交差することによって定義される領域に形成される画素電極Ｐｘと、前記画素電極Ｐｘと対向する共通電極ＣＯＭと、を含む。本発明の第１の実施の形態では、共通電極ＣＯＭがタッチ駆動電極Ｔｘおよびセンシング電極Ｒｘの機能を兼ねるので、以下の説明では、必要に応じて共通電極ＣＯＭ、タッチ駆動電極Ｔｘ、タッチセンシング電極Ｒｘ、タッチ駆動電極Ｔｘ兼用共通電極ＣＯＭ、またはタッチセンシング電極Ｒｘ兼用共通電極ＣＯＭと称する。
【００６４】
前記構成において、基板ＳＵＢ上には、ゲートラインＧＬとタッチ駆動電極接続配線Ｔｃ１１が互いに分離されたまま並行して形成され、その上部には、ゲート絶縁膜ＧＩが形成される。更に、ゲート絶縁膜ＧＩ上の薄膜トランジスタＴＦＴを構成する活性層Ａ、ソース電極Ｓおよびドレイン電極Ｄが形成される。
【００６５】
つまり、薄膜トランジスタＴＦＴは、基板ＳＵＢ上に形成されたゲートラインＧＬから延長されたゲート電極Ｇと、ゲートラインＧＬとゲート電極Ｇをカバーするゲート絶縁膜ＧＩでゲート電極Ｇと対応する領域に形成される活性層Ａと、活性層Ａの一部を露出させるようにゲート絶縁膜ＧＩ上に分離され形成されるデータラインＤＬから延長されたソース電極Ｓおよびドレイン電極Ｄを含む。
【００６６】
前記実施の形態において、薄膜トランジスタは、ゲート電極がソース/ドレイン電極の下層に形成されるボトムゲート構造（gate bottom structure）の薄膜トランジスタを例に挙げて説明したが、本発明はこれに限定されるものではなく、ゲート電極がソース/ドレイン領域の上部に形成されるトップゲート構造（gate top structure）の薄膜トランジスタも含むものと理解しなければならない。トップゲート構造の薄膜トランジスタは、公知の構成なので、それに対する詳細な説明は省略する。
【００６７】
薄膜トランジスタＴＦＴとデータラインＤＬが形成されたゲート絶縁膜ＧＩ上には薄膜トランジスタＴＦＴとデータラインＤＬをカバーする第１保護膜ＰＡＳ１が形成され、第１保護膜ＰＡＳ上に平坦化のためのフォトアクリルなどの有機絶縁膜ＩＮＳが形成される。有機絶縁膜ＩＮＳには、ドレイン電極Ｄの一部と対応する位置の第１保護膜ＰＡＳ１を露出させる第１コンタクトホールＣＨ１が形成される。また、ゲート絶縁膜ＧＩ、第１保護膜ＰＡＳ１と有機絶縁膜ＩＮＳには、タッチ駆動電極接続配線Ｔｃ１１を露出させる第２コンタクトホールＣＨ２が形成される。
【００６８】
有機絶縁膜ＩＮＳ上には、共通電極の機能を兼ねるタッチ駆動電極Ｔｘ１１及びタッチセンシング電極Ｒｘ１が、図３に示されるように形成される。タッチ駆動電極Ｔｘ１１は、第２コンタクトホールＣＨ２を介してタッチ駆動電極接続配線Ｔｃ１１に接続される。
【００６９】
タッチセンシング電極Ｒｘ１上にはタッチセンシング電極Ｒｘ１の配列方向（ｙ軸方向）に沿ってタッチセンシング電極Ｒｘ１と接触するタッチセンシング電極接続配線Ｒc１が形成される。このとき、タッチセンシング電極接続配線Ｒｃ１がデータラインＤＬと重なるように形成されると、タッチセンシング電極接続配線Ｒｃ１によって開口率が低下しない、という効果を得ることができる。
【００７０】
タッチ駆動電極Ｔｘ１１、タッチセンシング電極Ｒｘ１、及びタッチセンシング電極接続配線Ｒｃ１が形成された有機絶縁膜ＩＮＳの前面上に第２保護膜ＰＡＳ２が形成され、ドレイン電極Ｄの一部が露出するように第２保護膜ＰＡＳ２と第１保護膜ＰＡＳ１を貫通する第３コンタクトホールＣＨ３が形成される。
【００７１】
第３コンタクトホールＣＨ３が形成された第２保護膜ＰＡＳ２上には第３コンタクトホールＣＨ３を介してドレイン電極Ｄと接続され、タッチ駆動電極Ｔｘ１１とタッチセンシング電極Ｒｘ１と重なるよう画素電極Ｐｘが形成される。画素電極Ｐｘは、タッチ駆動電極Ｔｘ１１兼用共通電極ＣＯＭとタッチセンシング電極Ｒｘ１兼用共通電極ＣＯＭとの間に水平電界が形成されやすいように複数のスリット（ＳＬ）を含む。したがって、有機絶縁層ＩＮＳ上に形成されるタッチ駆動電極Ｔｘおよびタッチセンシング電極Ｒｘは、スリットがないように形成され、第２保護層ＰＡＳ２上に形成される画素電極Ｐｘは、スリット（ＳＬ）を有するように形成される。
【００７２】
前述したように、本発明の第１の実施の形態に係る第１乃至第４タッチ駆動電極グループ（Ｔｘ１１〜Ｔｘ１４、Ｔｘ２１〜Ｔｘ２４、Ｔｘ３１〜Ｔｘ３４、及びＴｘ４１〜Ｔｘ４４）は、第１乃至第４タッチ駆動電極接続配線Ｔｃ１１〜Ｔｃ１４、Ｔｃ２１〜Ｔｃ２４、Ｔｃ３１〜Ｔｃ３４、及びＴｃ４１〜Ｔｃ４４にそれぞれ接続された後、第１乃至第４タッチ駆動電極接続配線Ｔｃ１１〜Ｔｃ１４、Ｔｃ２１〜Ｔｃ２４、Ｔｃ３１〜Ｔｃ３４、及びＴｃ４１〜Ｔｃ４４が第１乃至第４タッチ駆動ルーティング配線Ｗ１〜ＴＷ４によってｘ軸方向に４つのタッチ駆動ラインを形成する。また、タッチセンシング電極Ｒｘ１〜Ｒｘ８は、ｙ軸方向にタッチセンシングラインを形成するため、互いに交差する構成を持つようになる。したがって、表示装置にタッチが行われた場合、タッチセンシングラインとタッチ駆動ラインとの間の相互静電容量の変化が発生するようになり、これを測定し、相互静電容量の変化が発生した位置を検出することができるようになる。
【００７３】
次に、図４および図７Ａ〜図８Ｂを参照して、共通電極（タッチ駆動電極及びタッチセンシング電極）が画素電極の上層に形成される場合の本発明の第１の実施の形態の変形例に従うタッチセンサ一体型表示装置について説明する。図７Ａは、共通電極が画素電極の上層に形成される場合の、図４に示された領域Ｒａを示す平面図であり、図７Ｂは、図７ＡのＩＩＩ−ＩＩＩ’ラインに沿って取った断面図であり、図８Ａは、共通電極が画素電極の上層に形成される場合の、図４に示された領域Ｒｂを示す平面図であり、図８Ｂは、図８ＡのＩＶ−ＩＶ’線に沿って取った断面図である。
【００７４】
以下の説明でも、説明の簡略化のために、１つのタッチ駆動電極Ｔｘ１１の一部の領域（Ｒａ領域）と１つのタッチセンシング電極Ｒｘ１の一部の領域（Ｒｂ領域）に対応して配置される１つの画素電極Ｐｘを中心に説明する。
【００７５】
図４、及び図７Ａ乃至８Ｂを参照すると、本発明の第１の実施の形態の変形例に従うタッチセンサ一体型表示装置は、薄膜トランジスタアレイＴＦＴＡの基板ＳＵＢ上に互いに交差するように形成されるゲートラインＧＬ及びデータラインＤＬと、前記ゲートラインＧＬ及びデータラインＤＬの交差する領域に形成される薄膜トランジスタＴＦＴと、隣接する２つのゲートラインＧＬと、隣接する２つのデータラインＤＬが交差することによって定義される領域に形成される画素電極Ｐｘと、前記画素電極Ｐｘと対向する共通電極ＣＯＭを含む。本発明の第１の実施の形態の変形例に従うタッチセンサ一体型表示装置は、共通電極が画素電極の上部層に形成されるという点で、本発明の第１の実施の形態に係るタッチセンサ一体型表示装置と異なる。
【００７６】
本発明の第１の実施の形態の変形例に従うタッチセンサ一体型表示装置においても共通電極ＣＯＭがタッチ駆動電極Ｔｘおよびセンシング電極Ｒｘの機能を兼ねるので、以下の説明では、必要に応じて、共通電極ＣＯＭは、タッチ駆動電極Ｔｘ、タッチセンシング電極Ｒｘ、タッチ駆動電極Ｔｘ兼用共通電極ＣＯＭ、またはタッチセンシング電極Ｒｘ兼用共通電極ＣＯＭと称する。
【００７７】
前記構成において、基板ＳＵＢ上には、ゲートラインＧＬ及びタッチ駆動電極接続配線Ｔｃ１１が互いに分離されたまま並行するように形成され、その上部には、ゲート絶縁膜ＧＩが形成される。ゲート絶縁膜ＧＩ上には薄膜トランジスタＴＦＴを構成する活性層Ａ、ソース電極Ｓおよびドレイン電極Ｄが形成される。
【００７８】
つまり、薄膜トランジスタＴＦＴは、基板ＳＵＢ上に形成されたゲートラインＧＬから延長されたゲート電極Ｇと、ゲートラインＧＬとゲート電極Ｇをカバーするゲート絶縁膜ＧＩ上でゲート電極Ｇと対応する領域に形成される活性層Ａと、活性層Ａの一部を露出させるようにゲート絶縁膜ＧＩ上に分離されて形成されるデータラインＤＬから延長されたソース電極Ｓおよびドレイン電極Ｄを含む。
【００７９】
前記第１の実施の形態の変形例でも第１の実施の形態と同様に、薄膜トランジスタは、ボトムゲート構造（gate bottom structure）またはトップゲート構造（gate top structure）の薄膜トランジスタで有り得る。
【００８０】
薄膜トランジスタＴＦＴ及びデータラインＤＬが形成されたゲート絶縁膜ＧＩ上には薄膜トランジスタＴＦＴ及びデータラインＤＬをカバーする第１保護膜ＰＡＳ１が形成され、第１保護膜ＰＡＳ上には平坦化のためのフォトアクリルなどの有機絶縁膜ＩＮＳが形成される。有機絶縁膜ＩＮＳ及び第１保護膜ＰＡＳ１には、ドレイン電極Ｄの一部を露出させる第１コンタクトホールＣＨ１が形成される。
【００８１】
有機絶縁膜ＩＮＳ上には画素電極Ｐｘが図４に示すように形成される。画素電極Ｐｘは、第１コンタクトホールＣＨ１を介して、薄膜トランジスタＴＦＴのドレイン電極Ｄに接続される。
【００８２】
画素電極Ｐｘが形成された有機絶縁膜ＩＮＳ上には、第２保護膜ＰＡＳ２が形成される。第２保護膜ＰＡＳ上には、タッチセンシング電極接続配線Ｒｃ１がデータラインＤＬに沿ってデータラインＤＬと重なるように形成される。ゲート絶縁膜ＧＩ、第１保護膜ＰＡＳ１、有機絶縁膜ＩＮＳ、及び第２保護膜ＰＡＳ２には、タッチ駆動電極接続配線Ｔｃ１１を露出させる第２コンタクトホールＣＨ２が形成される。タッチセンシング電極接続配線Ｒｃ１が形成された第２保護膜ＰＡＳ２上にはタッチ駆動電極Ｔｘ１１及びタッチセンシング電極Ｒｘ１が図４に示されるように形成される。タッチ駆動電極Ｔｘ１１は、第２コンタクトホールＣＨ２を介してタッチ駆動電極接続配線Ｔｃ１１と接続され、タッチセンシング電極Ｒｘ１は、タッチセンシング電極接続配線Ｒｃ１をカバーするように形成される。
【００８３】
前述した、本発明の第１の実施の形態とその変形例に従うタッチセンサ一体型表示装置によれば、各タッチ駆動電極及び各タッチセンシング電極は、複数の画素電極に対応するように形成し、各タッチ駆動電極接続配線は、ゲートラインに対応し、それぞれのタッチセンシング電極接続配線は、データラインに対応するように形成される。したがって、タッチ駆動電極とタッチセンシング電極のための複雑な配線を簡単かつ効率的に形成することができる、という効果を得ることができる。
【００８４】
また、第１乃至第４タッチ駆動電極グループＴｘ１１〜Ｔｘ１４、Ｔｘ２１〜Ｔｘ２４、Ｔｘ３１〜Ｔｘ３４、及びＴｘ４１〜Ｔｘ４４の各タッチ駆動電極に独立的なタッチ駆動接続配線が接続されるので、例えば、各タッチ駆動接続配線の太さや面積などを調整して、タッチ駆動電極がどの位置にあっても、同じサイズのＲＣ遅延値を持つようにすることができる。したがって、タッチ認識精度を向上させることができる、という効果を得ることができる。
【００８５】
次に、図９を参照して本発明の第２の実施の形態に係るタッチセンサ一体型表示装置について説明する。図９は、本発明の第２の実施の形態に係るタッチセンサ一体型表示装置を概略的に示す平面図である。
【００８６】
本発明の第２の実施の形態に係るタッチセンサ一体型表示装置においては、各行のタッチ駆動電極グループＴｘ１１〜Ｔｘ１４、Ｔｘ２１〜Ｔｘ２４、Ｔｘ３１〜Ｔｘ３４、またはＴｘ４１〜Ｔｘ４４が半分に分けられる。左１/２のタッチ駆動電極グループは、Ｔｘ１１〜Ｔｘ１２、Ｔｘ２１〜Ｔｘ２２、Ｔｘ３１〜Ｔｘ３２、またはＴｘ４１〜Ｔｘ４２であり、アクティブ領域の左側に引き出される第１〜第４左側のタッチ駆動電極接続配線Ｔｃ１１〜Ｔｃ１２、Ｔｃ２１〜Ｔｃ２２、Ｔｃ３１〜Ｔｃ３２、またはＴｃ４１〜Ｔｃ４２に接続される。一方、右側１/２のタッチ駆動電極グループであるＴｘ１３〜Ｔｘ１４、Ｔｘ２３〜Ｔｘ２４、Ｔｘ３３〜Ｔｘ３４、またはＴｘ４３〜Ｔｘ４４は、アクティブ領域の右側に引き出しされた第１乃至第４右側タッチ駆動電極接続配線Ｔｃ１３〜Ｔｃ１４、Ｔｃ２３〜Ｔｃ２４、Ｔｃ３３〜Ｔｃ３４、またはＴｃ４３〜Ｔｃ４４に接続される。
【００８７】
第１〜第４左側タッチ駆動電極接続配線Ｔｃ１１〜Ｔｃ１２、Ｔｃ２１〜Ｔｃ２２、Ｔｃ３１〜Ｔｃ３２、またはＴｃ４１〜Ｔｃ４２は、それぞれ１〜第４左側タッチ駆動ルーティング配線ＴＷＬ１〜ＴＷＬ４１を介し第１乃至第４左側タッチ駆動パッドＴＰＬ１〜ＴＰＬ４に接続される。また、第１乃至第４右側タッチ駆動電極接続配線Ｔｃ１３〜Ｔｃ１４、Ｔｃ２３〜Ｔｃ２４、Ｔｃ３３〜Ｔｃ３４、またはＴｃ４３〜Ｔｃ４４は、それぞれ１〜第４右側タッチ駆動ルーティング配線ＴＷＲ１〜ＴＷＲ４１を介して第１乃至第４右側タッチ駆動パッドＴＰＲ１〜ＴＰＲ４に接続される。
【００８８】
本発明の第２の実施の形態に係るタッチセンサ一体型表示装置のその他の構成は、本発明の第１の実施の形態に係るタッチセンサ一体型表示装置と同様であるので説明の重複を避けるためにこれ以上の説明は省略する。 
【００８９】
本発明の第２の実施の形態に係るタッチセンサ一体型表示装置によれば、全体タッチ駆動電極の左側と右側にそれぞれ配置された第１乃至第４左側タッチ駆動電極接続配線Ｔｃ１１〜Ｔｃ１２、Ｔｃ２１〜 Ｔｃ２２、Ｔｃ３１〜Ｔｃ３２、またはＴｃ４１〜Ｔｃ４２と第１〜第４右側タッチ駆動電極接続配線Ｔｃ１３〜Ｔｃ１４、Ｔｃ２３〜Ｔｃ２４、Ｔｃ３３〜Ｔｃ３４、またはＴｃ４３〜Ｔｃ４４を介して両側から同時にタッチ駆動電圧を供給できるようになるので、タッチ駆動信号が減衰することなくタッチ駆動電圧をタッチ駆動電極に供給することができるようになる。したがって、タッチ認識精度をさらに高めることができる、という効果を得ることができる。 
【００９０】
次に、図１０を参照して本発明の第３実施の形態に係るタッチセンサ一体型表示装置について説明する。図１０は、本発明の第３実施の形態に係るタッチセンサ一体型表示装置を概略的に示す平面図である。 
【００９１】
本発明の第３実施の形態に係るタッチセンサ一体型表示装置は、第１乃至第４タッチ駆動電極接続配線Ｔｃ１１〜Ｔｃ１４、Ｔｃ２１〜Ｔｃ２４、Ｔｃ３１〜Ｔｃ３４、及びＴｃ４１〜Ｔｃ４４の間の長さの差を補うための、第１乃至第４ダミー配線（Ｔｄ１１〜Ｔｄ１３、Ｔｄ２１〜Ｔｄ２３、Ｔｄ３１〜Ｔｄ３３、及びＴｄ４１〜Ｔｄ４３）が形成される点を除いては、本発明の第１の実施の形態に係るタッチセンサ一体型表示デバイスと基本構成は同じである。
【００９２】
具体的に、第１ダミー配線Ｔｄ１１〜Ｔｄ１３の第１−１ダミー配線Ｔｄ１１は、第１−１タッチ駆動電極接続配線Ｔｃ１１から延長され、第１−４タッチ駆動電極接続配線Ｔｃ１４の終端に対応する位置まで、第１−１〜第１−４タッチ駆動電極Ｔｘ１１〜Ｔｘ１４と重なるように形成される。第１−２ダミー配線Ｔｄ１２は、第１−２タッチ駆動電極接続配線Ｔｃ１２から延長され、第１−４タッチ駆動電極接続配線Ｔｃ１４の終端に対応する位置まで第１−２乃至第１−４タッチ駆動電極Ｔｘ１２〜Ｔｘ１４と重なるように形成される。第１−３ダミー配線Ｔｄ１３は、第１−３タッチ駆動電極接続配線Ｔｃ１３から延長され、第１−４タッチ駆動電極接続配線Ｔｃ１４の終端に対応する位置まで第１−３乃至第１−４タッチ駆動電極Ｔｘ１３〜Ｔｘ１４と重なるように形成される。
【００９３】
第２ダミー配線Ｔｄ２１〜Ｔｄ２３の第２−１ダミー配線Ｔｄ２１は、第２−１タッチ駆動電極接続配線Ｔｃ２１から延長され、第２−４タッチ駆動電極接続配線Ｔｃ２４の終端に対応する位置まで、第２−１〜第２−４タッチ駆動電極Ｔｘ２１〜Ｔｘ２４と重なるように形成される。第２−２ダミー配線Ｔｄ２２は、第２−２タッチ駆動電極接続配線Ｔｃ２２から延長され、第２−４タッチ駆動電極接続配線Ｔｃ２４の終端に対応する位置まで第２−２乃至第２−４タッチ駆動電極Ｔｘ２２〜Ｔｘ２４と重なるように形成される。第２−３ダミー配線Ｔｄ２３は、第２−３タッチ駆動電極接続配線Ｔｃ２３から延長され、第２−４タッチ駆動電極接続配線Ｔｃ２４の終端に対応する位置まで第２−３乃至第２−４タッチ駆動電極Ｔｘ２３〜Ｔｘ２４と重なるように形成される。
【００９４】
第３ダミー配線Ｔｄ３１〜Ｔｄ３３の第３−１ダミー配線Ｔｄ３１は、第３−１タッチ駆動電極接続配線Ｔｃ３１から延長され、第３−４タッチ駆動電極接続配線Ｔｃ３４の終端に対応する位置まで、第３−１〜第３−４タッチ駆動電極Ｔｘ３１〜Ｔｘ３４と重なるように形成される。第３−２ダミー配線Ｔｄ３２は、第３−２タッチ駆動電極接続配線Ｔｃ３２から延長され、第３−４タッチ駆動電極接続配線Ｔｃ３４の終端に対応する位置まで第３−２乃至第３−４タッチ駆動電極Ｔｘ３２〜Ｔｘ３４と重なるように形成される。第３−３ダミー配線Ｔｄ３３は、第３−３タッチ駆動電極接続配線Ｔｃ３３から延長され、第３−４タッチ駆動電極接続配線Ｔｃ３４の終端に対応する位置まで第３−３乃至第３−４タッチ駆動電極Ｔｘ３３〜Ｔｘ３４と重なるように形成される。 
【００９５】
第４ダミー配線Ｔｄ４１〜Ｔｄ４３の第４−１ダミー配線Ｔｄ４１は、第４−１タッチ駆動電極接続配線Ｔｃ４１から延長され、第４−４タッチ駆動電極接続配線Ｔｃ３４の終端に対応する位置まで、第４−１〜第４−４タッチ駆動電極Ｔｘ４１〜Ｔｘ４４と重なるように形成される。第４−２ダミー配線Ｔｄ４２は、第４−２タッチ駆動電極接続配線Ｔｃ４２から延長され、第４−４タッチ駆動電極接続配線Ｔｃ４４の終端に対応する位置まで第４−２乃至第４−４タッチ駆動電極Ｔｘ４２〜Ｔｘ４４と重なるように形成される。第４−３ダミー配線Ｔｄ４３は、第４−３タッチ駆動電極接続配線Ｔｃ４３から延長され、第４−４タッチ駆動電極接続配線Ｔｃ４４の終端に対応する位置まで第４−３乃至第４−４タッチ駆動電極Ｔｘ３３〜Ｔｘ３４と重なるように形成される。
【００９６】
本発明の第３実施の形態に係るタッチセンサ一体型表示装置のその他の構成は、本発明の第１の実施の形態に係るタッチセンサ一体型表示装置と同様であるので説明の重複を避けるためにこれ以上の説明は省略する。
【００９７】
本発明の第３実施の形態に係るタッチセンサ一体型表示装置によれば、ダミー配線により隣接するタッチ駆動電極接続配線との間の相互静電容量値がどの位置でも同じ値を維持することができる。したがって、第１の実施の形態に係るタッチセンサ一体型表示装置に比べて、タッチ認識精度をさらに高めることができる、という効果を得ることができる。
【００９８】
次に、図１１を参照して本発明の第４実施の形態に係るタッチセンサ一体型表示装置について説明する。図１１は、本発明の第４実施の形態に係るタッチセンサ一体型表示装置を概略的に示す平面図である。
【００９９】
本発明の第４実施の形態に係るタッチセンサ一体型表示装置は、第１乃至第４タッチ駆動電極接続配線Ｔｃ１１〜Ｔｃ１４、Ｔｃ２１〜Ｔｃ２４、Ｔｃ３１〜Ｔｃ３４、及びＴｃ４１〜Ｔｃ４４の間の長さの差を補うための、第１乃至第４ダミー配線Ｔｄ１１、Ｔｄ１３、Ｔｄ２１、Ｔｄ２３、Ｔｄ３１、Ｔｄ３３、Ｔｄ４１、及びＴｄ４３が形成される点を除いては、本発明の第２の実施の形態に係るタッチセンサ一体型表示装置と基本構成は同じである。
【０１００】
具体的に、第１ダミー配線Ｔｄ１１及びＴｄ１３の第１−１ダミー配線Ｔｄ１１は、第１−１左側タッチ駆動電極接続配線Ｔｃ１１から延長され、第１−２左側タッチ駆動電極接続配線Ｔｃ１２の終端に対応する位置まで、第１−１及び第１−２タッチ駆動電極Ｔｘ１１及びＴｘ１２と重なるように形成される。第１−２ダミー配線Ｔｄ１３は、右側第１−３タッチ駆動電極接続配線Ｔｃ１３から延長され、第１−４タッチ駆動電極接続配線Ｔｃ１４の終端に対応する位置までの第１〜３乃至第１−４タッチ駆動電極Ｔｘ１３、Ｔｘ１４と重なるように形成される。
【０１０１】
第２−１ダミー配線Ｔｄ２１は、第２−１左側タッチ駆動電極接続配線Ｔｃ２１から延長され、第２−２左側タッチ駆動電極接続配線Ｔｃ２２の終端に対応する位置まで第２−１及び第２−２タッチ駆動電極Ｔｘ２１及びＴｘ２２と重なるように形成される。第２−２ダミー配線Ｔｄ２３は、右側第２−３タッチ駆動電極接続配線Ｔｃ２３から延長され、第２−４タッチ駆動電極接続配線Ｔｃ２４の終端に対応する位置まで第２−３及び第２−４タッチ駆動電極Ｔｘ１３及びＴｘ１４と重なるように形成される。 
【０１０２】
第３−１ダミー配線Ｔｄ３１は、第３−１左側タッチ駆動電極接続配線Ｔｃ３１から延長され、第３−２左側タッチ駆動電極接続配線Ｔｃ３２の終端に対応する位置まで第３−１及び第３−２タッチ駆動電極Ｔｘ３１及びＴｘ３２と重なるように形成される。第３−２ダミー配線Ｔｄ３３は、右側第３−３タッチ駆動電極接続配線Ｔｃ３３から延長され、第３−４タッチ駆動電極接続配線Ｔｃ３４の終端に対応する位置まで第３−３及び第３−４タッチ駆動電極Ｔｘ３３及びＴｘ３４と重なるように形成される。 
【０１０３】
第４−１ダミー配線Ｔｄ４１は、第４−１左側タッチ駆動電極接続配線Ｔｃ４１から延長され、第４−２左側タッチ駆動電極接続配線Ｔｃ４２の終端に対応する位置まで第４−１及び第４−２タッチ駆動電極Ｔｘ４１及びＴｘ４２と重なるように形成される。第４−２ダミー配線Ｔｄ４３は、右側第４−３タッチ駆動電極接続配線Ｔｃ４３から延長され、第４−４タッチ駆動電極接続配線Ｔｃ４４の終端に対応する位置まで第４−３及び第４−４タッチ駆動電極Ｔｘ４３及びＴｘ４４と重なるように形成される。 
【０１０４】
本発明の第４実施の形態に係るタッチセンサ一体型表示装置のその他の構成は、本発明の第２の実施の形態に係るタッチセンサ一体型表示装置と同様であるので説明の重複を避けるためにこれ以上の説明は省略する。 
【０１０５】
本発明の第４実施の形態に係るタッチセンサ一体型表示装置によれば、ダミー配線により隣接するタッチ駆動電極接続配線との間の相互静電容量値がどの位置でも同じ値を維持することができる。したがって、第２の実施の形態に係るタッチセンサ一体型表示装置に比べて、タッチ認識精度を更に向上させることができる、という効果を得ることができる。 
【０１０６】
以上説明した内容を通じて、当業者であれば本発明の技術思想を逸脱しない範囲で様々な変更および修正が可能であることを分かることができる。例えば、本発明の第１乃至第４実施の形態の説明では、薄膜トランジスタの保護のための第１保護膜と平坦化のための有機絶縁膜を別々に形成するものとして説明したが、第１保護膜または有機絶縁膜のいずれか一つで二つの機能を達成することができる。したがって、本発明の技術的範囲は、発明の詳細な説明に記載された内容に限定されるものではなく、特許請求の範囲によって定めるべきである。
【図１】
0006005121.tif 000002
【図２】
0006005121.tif 000003
【図３】
0006005121.tif 000004
【図４】
0006005121.tif 000005
【図５Ａ】
0006005121.tif 000006
【図５Ｂ】
0006005121.tif 000007
【図６Ａ】
0006005121.tif 000008
【図６Ｂ】
0006005121.tif 000009
【図７Ａ】
0006005121.tif 000010
【図７Ｂ】
0006005121.tif 000011
【図８Ａ】
0006005121.tif 000012
【図８Ｂ】
0006005121.tif 000013
【図９】
0006005121.tif 000014
【図１０】
0006005121.tif 000015
【図１１】
0006005121.tif 000016